(57)【要約】      （修正有）【課題】高さ寸法の小さい電子部品を用いることなく薄型化を図った表示装置を提供する。【解決手段】電源回路基板５２は表示パネル４のスピーカを配置した側（下側）の外縁４２から突出させて配置する。電源回路基板５２は、表示パネル４の背面側に所定の間隔Ａを空けて配置するだけでなく、表示パネル４の下側の外縁４２より突出させて配置することで、電源回路基板５２の表示パネル４側となる面の突出領域５３に、所定間隔Ａよりも大きい高さ寸法ｈの電子部品８２を実装できる。【選択図】図３
0003159766.tif 000002
【実用新案登録請求の範囲】
【請求項１】
筐体の内部に、映像を表示する表示パネルと、前記表示パネルの背面側に電子部品を実装した回路基板を配置した表示装置であって、前記回路基板は前記表示パネルと所定の間隔を空けて、且つ前記表示パネルの外縁より突出した突出領域を有するように配置すると共に、前記突出領域の前記表示パネル側となる面には、前記所定間隔よりも大きい高さ寸法の電子部品を実装したことを特徴とする表示装置。
【請求項２】
筐体の内部に、映像を表示する表示パネルと、前記表示パネルの背面側に電子部品を実装した回路基板を配置し、前記表示パネルの左右または下側に音声を出力するスピーカを配置した表示装置であって、前記回路基板は前記表示パネルと所定の間隔を空けて、且つ前記スピーカを配置した側の前記表示パネルの外縁より突出した突出領域を有するように配置すると共に、前記突出領域の前記表示パネル側となる面には、前記所定間隔よりも大きい高さ寸法の電子部品を実装したことを特徴とする表示装置。
【請求項３】
前記筐体は、表示パネルの表示面を配置するフロントキャビネットと、表示装置の背面を覆うリアキャビネットとからなり、前記リアキャビネットには前記回路基板を取付けるための取付け部を形成したことを特徴とする請求項１または請求項２に記載の表示装置。
【考案の詳細な説明】
【技術分野】
【０００１】
本考案は、液晶テレビジョン受像機などの表示装置に係るものであり、詳しくは、表示装置に設けられた表示パネルと回路基板の配置構成を配慮し、薄型化を図った表示装置に関するものである。
【背景技術】
【０００２】
液晶テレビジョン受像機などの表示装置は、筐体となるフロントキャビネットとリアキャビネットの内部に、映像を表示する表示パネルと、音声を出力するスピーカと、テレビジョン放送信号を受信する回路、表示パネルに映像信号を出力する回路、スピーカに音声信号を出力する回路、装置の制御を行う回路などの電子部品を実装した信号処理回路基板と、装置内部に電源を供給する電源回路の電子部品を実装した電源回路基板を収容している。そして、スピーカは表示パネルの左右または下側に配置され、回路基板は表示パネルの背面に配置されている。
【０００３】
例えば、特許文献１の表示機器は、液晶パネルの背面を覆っているシャーシに複数の取付台部を形成し、取付台部に回路基板を固定している。
【０００４】
【特許文献１】特開２００８−０９６６６６
【考案の概要】
【考案が解決しようとする課題】
【０００５】
特許文献１のような、表示パネルの背面に回路基板を重ねて配置した表示装置において、表示装置の奥行き寸法は、表示パネルの奥行き寸法と回路基板の奥行き寸法によって影響され、表示装置の薄型化を図るためには、表示パネルの奥行き寸法または回路基板の奥行き寸法を小さくする必要がある。回路基板の奥行き寸法を小さくするためには、回路基板に実装する電子部品の高さ寸法を小さくしなければならないが、一般的に電気的性能が同じで高さ寸法の小さい電子部品はコストが高くなるという問題がある。また、一般的に電気的性能が同じで高さ寸法の小さい電子部品は回路基板への実装面積が大きくなり、回路基板のサイズが大きくなることによる回路基板のコストが高くなるという問題がある。
【０００６】
本考案の目的は、高さ寸法の小さい電子部品を用いることなく表示装置の薄型化を図ることにある。
【課題を解決するための手段】
【０００７】
請求項１の考案は、筐体の内部に、映像を表示する表示パネルと、前記表示パネルの背面側に電子部品を実装した回路基板を配置した表示装置であって、前記回路基板は前記表示パネルと所定の間隔を空けて、且つ前記表示パネルの外縁より突出した突出領域を有するように配置すると共に、前記突出領域の前記表示パネル側となる面には、前記所定間隔よりも大きい高さ寸法の電子部品を実装したことを特徴とする。
【０００８】
請求項２の考案は、筐体の内部に、映像を表示する表示パネルと、前記表示パネルの背面側に電子部品を実装した回路基板を配置し、前記表示パネルの左右または下側に音声を出力するスピーカを配置した表示装置であって、前記回路基板は前記表示パネルと所定の間隔を空けて、且つ前記スピーカを配置した側の前記表示パネルの外縁より突出した突出領域を有するように配置すると共に、前記突出領域の前記表示パネル側となる面には、前記所定間隔よりも大きい高さ寸法の電子部品を実装したことを特徴とする。
【０００９】
請求項３の考案は、前記筐体は、表示パネルの表示面を配置するフロントキャビネットと、表示装置の背面を覆うリアキャビネットとからなり、前記リアキャビネットには前記回路基板を取付けるための取付け部を形成したことを特徴とする。
【考案の効果】
【００１０】
請求項１の考案によれば、回路基板の突出領域の表示パネル側となる面に、所定間隔よりも大きい高さ寸法の電子部品を実装することで、高さ寸法の小さい電子部品を用いることなく表示装置の薄型化を図ることができる。
【００１１】
請求項２の考案によれば、表示パネルのスピーカを配置した側に回路基板の突出領域を有するようにし、突出領域の表示パネル側となる面に、所定間隔よりも大きい高さ寸法の電子部品を実装することで、高さ寸法の小さい電子部品を用いることなく表示装置の薄型化を図ることができると共に、表示パネルのスピーカを配置した側の空きスペースを利用することができるため表示装置が大型化することはない。
【００１２】
請求項３の考案によれば、リアキャビネットに回路基板を取付けることができる。
【００１３】
このように、高さ寸法の小さい電子部品を用いる必要がないため、電子部品や回路基板のコストが高くなることもなく表示装置の薄型化を図ることができる。
【図面の簡単な説明】
【００１４】
【図１】本考案の表示装置の背面図
【図２】本考案の表示装置の縦断面図
【図３】本考案の表示装置の縦断面図の部分拡大図
【考案を実施するための形態】
【００１５】
図１から図３を参照して本考案の実施形態を説明する。図１は表示装置の背面図、図２は表示装置の縦断面図、図３は図２の部分拡大図である。なお、本考案はその主旨に反しない範囲で、実施例において説明した構成以外のものに対しても適用可能である。
【００１６】
図１は、表示装置の背面図で、内部の配置がわかるようにリアキャビネットを省略している。同図に示すように、表示装置１は、筐体となるフロントキャビネット２とリアキャビネット（図示せず）の内部に、映像を表示する表示パネル４と、音声を出力するスピーカ６１，６２と、テレビジョン放送信号を受信する回路、表示パネルに映像信号を出力する回路、スピーカに音声信号を出力する回路、装置の制御を行う回路などの電子部品を実装した信号処理回路基板５１と、装置内部に電源を供給する電源回路の電子部品を実装した電源回路基板５２を収容している。そして、スピーカ６１，６２は表示パネル４の下側の左右に配置し、信号処理回路基板５１と電源回路基板５２は表示パネル４の背面に配置する。また、電源回路基板５２は表示パネル４のスピーカ６１，６２を配置した側（下側）の外縁４２から突出させて配置する。ここで電源回路基板５２の表示パネル４から突出した部分を突出領域５３とする。
【００１７】
図２は、表示装置の縦断面図である。同図に示すように、表示装置１の筐体は、表示パネル４の表示面４１を配置するフロントキャビネット２と、表示装置１の背面を覆うリアキャビネット３とからなる。リアキャビネット３にはスタンド７を取付けている。表示パネル４は、液晶セルと液晶セルの背面から光を照射するバックライトを重ねた状態で金属ケースに収容したものである。信号処理回路基板５１の表示パネル４側となる面にはチップ部品などの高さ寸法の小さい電子部品（図示せず）を実装し、表示パネル４側と反対面にはチューナ９１や入出力端子９２を実装することで、表示装置１の外側からケーブルを接続できるようにする。
【００１８】
図３は、図２の部分拡大図で、図２における電源回路基板５２の部分を拡大している。同図で示すように、電源回路基板５２は、表示パネル４の背面側に所定の間隔Ａを空けて配置するだけでなく、表示パネル４の下側の外縁４２より突出させて配置する。そして、電源回路基板５２の表示パネル４と対向する面には、所定間隔Ａよりも小さい高さ寸法の電子部品８１を実装し、突出領域５３の表示パネル４側となる面には、所定間隔Ａよりも大きい高さ寸法ｈの電子部品８２を実装する。ここで所定間隔Ａとは、表示パネル４の背面側に回路基板を配置するために必要な間隔で、例えば回路基板の表示パネル４側となる面に実装する電子部品の寸法を考慮した間隔であり、あるいは電源の一次側との絶縁距離や沿面距離を考慮した間隔であり、あるいは高電圧部との絶縁距離や沿面距離を考慮した間隔である。また、所定間隔Ａよりも大きい高さ寸法ｈの電子部品８２として、例えば電解コンデンサ、放熱器、ラインフィルタ、トランスである。
【００１９】
また、リアキャビネット３の内側には電源回路基板５２を取付けるための基板取付用ボス３１を形成し、外側にはスタンドを取付けるためのスタンド取付用ボス３２を形成する。電源回路基板５２をリアキャビネット３の内側に取付けてからリアキャビネット３をフロントキャビネット２に取付けることで、電源回路基板５２は表示パネル４の背面側に配置される。
【００２０】
このように、電源回路基板５２は、表示パネル４の背面側に所定の間隔Ａを空けて配置するだけでなく、表示パネル４の下側の外縁４２より突出させて配置することで、電源回路基板５２の表示パネル４側となる面の突出領域５３に、所定間隔Ａよりも大きい高さ寸法ｈの電子部品８２を実装できるため、高さ寸法の小さい電子部品を用いることなく表示装置１の奥行き寸法Ｄを小さくでき、表示装置１の薄型化を図ることができる。
【００２１】
また、表示パネル4のスピーカ６１，６２を配置した側に電源回路基板５２の突出領域５３を設けたことで、表示パネル４のスピーカ６１，６２を配置した側の空きスペースを利用することができるため、表示装置１が大型化することはない。
【００２２】
なお、上記実施例においては、表示パネル４の下側に２個のスピーカ６１，６２を配置したが、表示パネル４の左右に各１個のスピーカを配置した場合には、表示パネル4のスピーカ６１，６２を配置した側（左側または右側）に回路基板の突出領域を設けることで良い。また、突出領域を設ける回路基板として、装置内部に電源を供給する電源回路の電子部品を実装した電源回路基板５２としているが、テレビジョン放送信号を受信する回路、表示パネルに映像信号を出力する回路、スピーカに音声信号を出力する回路、装置の制御を行う回路などの電子部品を実装した信号処理回路基板５１としても良く、また、ここに記載した回路や回路基板に限定するものでも回路基板の数についても限定するものでもない。
【符号の説明】
【００２３】
１  表示装置
２  フロントキャビネット
３  リアキャビネット
４  表示パネル
７  スタンド
３１  基板取付用ボス
４２  外縁
５１  信号処理回路基板
５２  電源回路基板
５３  突出領域
６１  スピーカ
６２  スピーカ
８１  電子部品
８２  電子部品
【図１】
0003159766.tif 000003
【図２】
0003159766.tif 000004
【図３】
0003159766.tif 000005